(57)【要約】【課題】より精度良く電気機器の部分放電を検出することができる部分放電検出装置、部分放電検出方法、部分放電検出システム及びコンピュータプログラムを提供することである。【解決手段】実施形態の部分放電検出装置は、センサと、フィルタリング部と、特徴量決定部と、部分放電判定部とを持つ。センサは、電気機器の放電によって生じた電気信号を取得する。フィルタリング部は、電気信号を所定の周期に分割し、分割された電気信号に基づいて得られる周波数スペクトルのうち、所定の条件を満たす複数の周波数帯域を特定する。特徴量決定部は、特定された周波数帯域に含まれるパルス信号のうち、あらかじめ定められた条件を満たすパルス信号を取得し、パルス信号に基づいて部分放電の特徴を表す特徴量を決定する。部分放電判定部は、特徴量に基づいて、部分放電の有無を判定する。【選択図】図１
2019211447.tif 000002
【特許請求の範囲】
【請求項１】
電気機器の放電によって生じた電気信号を取得するセンサと、
前記電気信号を所定の周期に分割し、分割された電気信号に基づいて得られる周波数スペクトルのうち、所定の条件を満たす複数の周波数帯域を特定するフィルタリング部と、
前記特定された周波数帯域に含まれるパルス信号のうち、あらかじめ定められた条件を満たすパルス信号を取得し、前記パルス信号に基づいて部分放電の特徴を表す特徴量を決定する特徴量決定部と、
前記特徴量に基づいて、部分放電の有無を判定する部分放電判定部と、
を備える、部分放電検出装置。
【請求項２】
前記フィルタリング部は、前記電気信号より得られた周波数スペクトルに対して、予め定められた閾値以上の信号強度を持つ周波数帯域を特定する請求項１に記載の部分放電検出装置。
【請求項３】
前記フィルタリング部は、前記電気信号に対してウェーブレット変換を行うことによって得られるウェーブレット係数に基づいて周波数スペクトルを得る請求項１又は２に記載の部分放電検出装置。
【請求項４】
前記特徴量決定部は、複数の前記周波数帯域に含まれるパルス信号のうち、予め定められた信号強度以上であり、かつ所定の時刻に発生しているパルス信号同士の強度比に基づいて前記特徴量を決定する、請求項１から３のいずれか一項に記載の部分放電検出装置。
【請求項５】
前記部分放電判定部は、前記特徴量が予め定められた閾値よりも大きい場合、部分放電が発生していると判定する、請求項１から４のいずれか一項に記載の部分放電検出装置。
【請求項６】
前記センサは、前記電気機器の接地線電流を検出する請求項１から５のいずれか一項に記載の部分放電検出装置。
【請求項７】
前記センサは、前記電気機器の接地電位を検出する請求項１から５のいずれか一項に記載の部分放電検出装置。
【請求項８】
前記電気機器の近傍の電磁波を受信し、受信された電磁波に基づく電気信号を生成する第２のセンサと、
前記フィルタリング部によって特定された複数の周波数帯域のうち最も高い周波数帯域の電気信号から、前記第２のセンサによって電気信号が生成された時刻に基づいて特定される電気信号を除去する信号除去部と、
をさらに備える、請求項１から５のいずれか一項に記載の部分放電検出装置。
【請求項９】
電気機器の放電によって生じる現象に応じて電気信号を生成する生成ステップと、
前記電気信号を所定の周期に分割し、分割された電気信号に基づいて得られる周波数スペクトルのうち、所定の条件を満たす複数の周波数帯域を特定するフィルタリングステップと、
前記特定された周波数帯域に含まれるパルス信号のうち、あらかじめ定められた条件を満たすパルス信号を取得し、前記パルス信号に基づいて部分放電の特徴を表す特徴量を決定する特徴量決定ステップと、
前記特徴量に基づいて、部分放電の有無を判定する部分放電判定ステップと、
を有する、部分放電検出方法。
【請求項１０】
電気機器の放電によって生じた電気信号を取得するセンサと、
前記電気信号を所定の周期に分割し、分割された電気信号に基づいて得られる周波数スペクトルのうち、所定の条件を満たす複数の周波数帯域を特定するフィルタリング部と、
前記特定された周波数帯域に含まれるパルス信号のうち、あらかじめ定められた条件を満たすパルス信号を取得し、前記パルス信号に基づいて部分放電の特徴を表す特徴量を決定する特徴量決定部と、
前記特徴量に基づいて、部分放電の有無を判定する部分放電判定部と、
を備える、部分放電検出システム。
【請求項１１】
電気機器の放電によって生じた電気信号を取得する取得ステップと、
前記電気信号を所定の周期に分割し、分割された電気信号に基づいて得られる周波数スペクトルのうち、所定の条件を満たす複数の周波数帯域を特定するフィルタリングステップと、
前記特定された周波数帯域に含まれるパルス信号のうち、あらかじめ定められた条件を満たすパルス信号を取得し、前記パルス信号に基づいて部分放電の特徴を表す特徴量を決定する特徴量決定ステップと、
前記特徴量に基づいて、部分放電の有無を判定する部分放電判定ステップと、
をコンピュータに実行させるためのコンピュータプログラム。
【発明の詳細な説明】
【技術分野】
【０００１】
本発明の実施形態は、部分放電検出装置、部分放電検出方法、部分放電検出システム及びコンピュータプログラムに関する。
【背景技術】
【０００２】
電気機器は、経年変化によって電気機器表面又は電気機器内部の絶縁体の絶縁性能が劣化する。絶縁性能が劣化すると、劣化箇所で部分放電が発生する。さらに絶縁性能の劣化が進行した場合、絶縁破壊が起きる。絶縁破壊によって、地絡事故等の重大事故が発生する。このため、電気機器の維持・保守において、部分放電を検出することがおこなれている。部分放電検出装置は、部分放電の信号を捉え、信号の大きさ又は発生頻度等から絶縁性能の劣化状況を推定することで部分放電を検出する。
【０００３】
従来の部分放電検出装置は、誤診断を防ぐために、部分放電信号であると認識されたパルス信号と商用電源電圧とが同期しているか否かを判定することで、部分放電の検出を行う。しかしながら、部分放電検出装置が、上述の方法で部分放電信号を検出する場合、商用電源に同期したノイズを含む部分放電を正確に検出できない可能性があった。
【先行技術文献】
【特許文献】
【０００４】
【特許文献１】特開２００８−４５９７７号公報
【特許文献２】特開平９−２９２４３３号公報
【発明の概要】
【発明が解決しようとする課題】
【０００５】
本発明が解決しようとする課題は、より精度良く電気機器の部分放電を検出することができる部分放電検出装置、部分放電検出方法、部分放電検出システム及びコンピュータプログラムを提供することである。
【課題を解決するための手段】
【０００６】
実施形態の部分放電検出装置は、センサと、フィルタリング部と、特徴量決定部と、部分放電判定部とを持つ。センサは、電気機器の放電によって生じた電気信号を取得する。フィルタリング部は、前記電気信号を所定の周期に分割し、分割された電気信号に基づいて得られる周波数スペクトルのうち、所定の条件を満たす複数の周波数帯域を特定する。特徴量決定部は、前記特定された周波数帯域に含まれるパルス信号のうち、あらかじめ定められた条件を満たすパルス信号を取得し、前記パルス信号に基づいて部分放電の特徴を表す特徴量を決定する。部分放電判定部は、前記特徴量に基づいて、部分放電の有無を判定する。
【図面の簡単な説明】
【０００７】
【図１】第１の実施形態の部分放電検出装置の機能構成を表す機能ブロック図。
【図２】第１の実施形態の周波数分割の一具体例を示す図。
【図３】第１の実施形態の同時刻に発生したパルス信号の一具体例を表す概念図。
【図４】第１の実施形態の取得された分析対象の信号の一具体例を表す概念図。
【図５】第１の実施形態の部分放電判定の処理の流れの一具体例を示すフローチャート。
【図６】第１の実施形態の検知された２種類の放電に対して周波数フィルタリングを行った結果の一具体例を示す図。
【図７】第１の実施形態の２種類の周波数帯域の強度比の散布図の一具体例を表す図。
【図８】第１の実施形態のグルーピングされた２種類の放電の信号を表す一具体例を表す図。
【図９】第２の実施形態の部分放電検出装置の機能構成を表す機能ブロック図。
【図１０】第２の実施形態の特定されたノイズの一具体例を表す図。
【発明を実施するための形態】
【０００８】
以下、実施形態の部分放電検出装置、部分放電検出方法、部分放電検出システム及びコンピュータプログラムを、図面を参照して説明する。
【０００９】
（第１の実施形態）
図１は、第１の実施形態の部分放電検出装置１００の機能構成を表す機能ブロック図である。部分放電検出装置１００は、センサ１０１及び部分放電判定装置１０２を備える。部分放電検出装置１００は、センサ１０１によって検出された電気信号に基づいて、電気機器１０の部分放電の発生の有無を判定する。
【００１０】
センサ１０１は、金属製の電極を含んで構成される。センサ１０１は、電気機器１０の放電によって生じた電気信号を取得する。電気機器１０の放電によって生じた電気信号は、例えば、電磁波、振動又は音等の物理量を表すである。センサ１０１は、電気機器１０に外壁面に設けられる。センサ１０１は、信号線を介して部分放電判定装置１０２に接続されている。センサ１０１は、生成された電気信号を部分放電判定装置１０２に出力する。図１では、センサ１０１は１台設けられているが、１台に限定されない。例えば、センサ１０１は複数設けられてもよい。センサ１０１は、物理量として電気機器１０の接地線電流を検出する。センサ１０１は、電気機器の接地電位を検出する。
【００１１】
部分放電判定装置１０２は、パーソナルコンピュータ、スマートフォン又はタブレットコンピュータ等の情報処理装置である。部分放電判定装置１０２は、センサ１０１から受け付けた電気信号に基づいて、部分放電の発生の有無を判定する。部分放電判定装置１０２は、部分放電判定プログラムを実行することによって通信部１０３、入力部１０４、表示部１０５、信号記憶部１０６及び制御部１０７を備える装置として機能する。
【００１２】
通信部１０３は、ネットワークインタフェースである。通信部１０３はネットワークを介して、外部の通信装置と通信する。通信部１０３は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。外部の通信装置は、例えばパーソナルコンピュータ、サーバ等の情報処理装置であってもよいし、クラウドコンピューティングシステムであってもよい。
【００１３】
入力部１０４は、タッチパネル、マウス及びキーボード等の入力装置を用いて構成される。入力部１０４は、入力装置を部分放電判定装置１０２に接続するためのインタフェースであってもよい。この場合、入力部１０４は、入力装置において入力された入力信号から入力データ（例えば、部分放電判定装置１０２に対する指示を示す指示情報）を生成し、部分放電判定装置１０２に入力する。
【００１４】
表示部１０５は、ＣＲＴ（Cathode Ray Tube）ディスプレイ、液晶ディスプレイ、有機ＥＬ（Electro Luminescence）ディスプレイ等の出力装置である。表示部１０５は、出力装置を部分放電判定装置１０２に接続するためのインタフェースであってもよい。この場合、表示部１０５は、映像データから映像信号を生成し自身に接続されている映像出力装置に映像信号を出力する。
【００１５】
信号記憶部１０６は、磁気ハードディスク装置や半導体記憶装置等の記憶装置を用いて構成される。信号記憶部１０６は、センサ情報を記憶する。センサ情報は、電気信号が取得された日時と電気信号が表す物理量とを少なくとも含む。なお、部分放電検出装置１００が複数のセンサ１０１を備える場合、センサ情報はセンサ１０１の識別情報を保持してもよい。識別情報は、センサ１０１を特定できる情報であればどのような情報であってもよい。
【００１６】
制御部１０７は、部分放電判定装置１０２の各部の動作を制御する。制御部１０７は、例えばＣＰＵ（Central Processing Unit）等のプロセッサ及びＲＡＭ（Random Access Memory）を備えた装置により実行される。制御部１０７は、部分放電判定プログラムを実行することによって、電気信号取得部１０８、フィルタリング部１０９、特徴量決定部１１０及び部分放電判定部１１１として機能する。
【００１７】
電気信号取得部１０８は、センサ１０１から受け付けた電気信号を取得する。電気信号取得部１０８は、電気信号から物理量を取得する。電気信号取得部１０８は、電気信号が取得された日時とセンサ１０１によって検知された物理量とを含むセンサ情報を生成する。電気信号取得部１０８は生成されたセンサ情報を信号記憶部１０６に記録する。なお、部分放電検出装置１００がセンサ１０１を複数備える場合、電気信号取得部１０８は、電気信号が取得された日時とセンサ１０１によって検知された物理量とセンサの識別情報とを含むセンサ情報を生成する。
【００１８】
フィルタリング部１０９は、取得された電気信号に対して周波数フィルタリングを行うことで高周波のパルス信号が含まれているか否かを判定する。具体的には、フィルタリング部１０９は、電気信号を所定の周期に分割する。所定の周期は、５０Ｈｚ又は６０Ｈｚ等の商用電源周期であってもよい。なお、所定の周期は、商用電源周期に限定されず、商用電源周期の整数倍の周期であってもよいし、どのような周期であってもよい。
【００１９】
フィルタリング部１０９は、周波数分析を行うことで周波数スペクトルを得る。周波数分析は、所定の周期に分割された電気信号に対して、高周波のパルス信号が含まれているか否かを探索する処理である。フィルタリング部１０９は、公知の手法を用いて周波数分析を行う。公知の手法は、例えばフーリエ変換、短時間フーリエ変換、ウェーブレット変換又は離散ウェーブレット変換であってもよい。離散ウェーブレット変換では、電気信号は高周波成分と低周波成分とに分解される。フィルタリング部１０９は、離散ウェーブレット変換において、電気信号を高周波成分と低周波成分とに分解する途中で算出されるウェーブレット係数を用いて探索してもよい。なお、離散ウェーブレット変換は、パルス信号の探索性能が良く、計算負荷が小さい。したがって、離散ウェーブレット変換は、高周波パルス信号が含まれているか否かを探索するために有効な手法である。
【００２０】
フィルタリング部１０９は、得られた周波数スペクトルに対して周波数分割を行う。周波数分割は、得られた周波数スペクトルを所定の周波数帯域毎に分割する処理である。所定の周波数帯域は、部分放電によって測定されうる周波数帯域に基づいて予め決定される。部分放電及びノイズの周波数帯域は、測定される場所又は時間に応じて数１００ｋＨｚから数ＧＨｚの間で発生する。なお、部分放電によって測定されうる周波数帯域は、定められた場所（例えば、電気機器１０の設置場所）では数１００ｋＨｚから数ＧＨｚの範囲で、狭帯域に発生する。フィルタリング部１０９は周波数スペクトルを少なくとも３つ以上の周波数帯域に分割する。
【００２１】
図２は、第１の実施形態の周波数分割の一具体例を示す図である。図２は、センサ１０１によって取得された電気信号の周波数スペクトルと所定の周波数帯域に分割された電気信号の周波数帯域とを表すグラフである。図２の横軸は、電気信号の周波数を表す。図２の縦軸は、電気信号の信号強度（例えば、電圧）の値を表す。図２の点線は、センサ１０１によって取得された電気信号の周波数スペクトルを表す。図２の実線は、フィルタリング部１０９によって所定の周波数帯域に分割された電気信号の周波数帯を表す。フィルタリング部１０９は、点線で示された周波数スペクトルを、実線で示された周波数帯域に分割することで、周波数分割を行う。
【００２２】
フィルタリング部１０９は、周波数分割によって得られた各周波数帯域の周波数スペクトルの信号強度のピーク値が、予め決定された閾値以上である周波数スペクトルを特定する。フィルタリング部１０９は、特定された周波数スペクトルのピーク値を中心周波数とする。
【００２３】
フィルタリング部１０９によって行われる周波数フィルタリングは、アナログフィルタとデジタルフィルタとがある。デジタルフィルタとアナログフィルタとでは、デジタルフィルタのほうが、性能及びコストの面で有効である。デジタルフィルタとして、有限インパルス応答フィルタが用いられる場合、電気信号の位相情報の誤差が小さくなる。位相情報の誤差が小さくなると、波形の歪みが小さくなるため、周波数フィルタリングの処理に望ましい。また、デジタルフィルタとして、離散ウェーブレット変換等の非線形フィルタが用いられてもよい。
【００２４】
フィルタリング部１０９は、所定の条件を満たすパルス信号を特定する。所定の条件とは、特定された周波数スペクトルのうち、周波数成分が最も高いパルス信号と、それ以外の周波数成分のパルス信号とが、同時刻又は所定の差異の範囲内に発生していることである。所定の差異とは、予め決定されていてもよく、分析される電気信号の周波数に基づいて決定されてもよい。なお、部分放電検出装置１００は、所定の差異を分析される信号の周波数に基づいて決定することで高精度に部分放電信号を判定できる。具体的には、フィルタリング部１０９は、分析される電気信号の中心周波数から得られる周期の半分の値を差異としてもよい。例えば、分析される電気信号の周波数が１ＭＨｚである場合、周期は１μ秒である。したがって、フィルタリング部１０９は、時刻の差異は０．５μ秒に決定する。
【００２５】
図３は、第１の実施形態の同時刻に発生たパルス信号の一具体例を表す概念図である。図３（ａ）は、特定された周波数スペクトルのうち、最も高い周波数成分の信号を表す。図３（ｂ）は、特定された周波数スペクトルのうち、最も高い周波数成分以外の信号を表す。フィルタリング部１０９は、図３（ａ）及び図３（ｂ）に表されるパルス信号のうち、同時刻又は所定の差異の範囲内に発生している電気信号を特定する。図３によると、図３（ａ）の領域２００ａのパルス信号と図３（ｂ）の領域２００ｂのパルス信号とが、同時刻に発生しているパルス信号であることがわかる。図３の場合、フィルタリング部１０９は、領域２００ｂのパルス信号を分析対象の信号として取得する。図３（ｃ）は、取得された領域２００ｂのパルス信号を表した図である。フィルタリング部１０９は、同様の手法を繰り返すことで分析対象ののパルス信号を複数取得する。このように、フィルタリング部１０９は、分析対象ののパルス信号を取得することでより高精度に部分放電の検出を行うことができる。
【００２６】
特徴量決定部１１０は、取得された複数の分析対象の信号に基づいて、特徴量を算出する。図４は、第１の実施形態の取得された分析対象の信号の一具体例を表す概念図である。図４では、部分放電として絶縁物内部放電及びコロナ放電によって発生するのパルス信号の分布が表される。図４（ａ）は、部分放電として絶縁物内部放電によって発生したのパルス信号の分布が表された場合の図である。図４（ｂ）は、部分放電としてコロナ放電によって発生した信号の分布が表された場合の図である。特徴量は、例えば、半周期毎の最大の信号強度（例えば、最大センサ電圧）、平均センサ電圧、最低位相、最大位相、平均位相、分布の形状を表す歪度、尖度、半周期間のそれらの差、パルス発生頻度、パルス信号の強度比等であるが、これらに限定されない。なお、特徴量は電気機器１０毎に設定されてもよい。特徴量決定部１１０は、公知の手法を用いて、特徴量を算出する。
【００２７】
部分放電判定部１１１は、電気機器１０の部分放電の有無を判定する。部分放電判定部１１１は、算出された特徴量が所定の条件を満たす場合、部分放電“あり”と判定する。所定の条件とは、例えば、算出された特徴量と予め指定された特徴量とを比較して、予め指定された設定値を満たすことであってもよいし、算出された特徴量が予め指定された設定値よりも大きいことであってもよいし、予め指定された設定値が算出された特徴量よりも大きいことであってもよい。所定の条件とは、あらかじめ定められた条件であればどのような条件であってもよい。部分放電判定部１１１は、算出された特徴量が所定の条件を満たさない場合、部分放電“なし”と判定する。
【００２８】
図５は、第１の実施形態の部分放電判定の処理の流れの一具体例を示すフローチャートである。電気信号取得部１０８は、センサ１０１から受け付けた電気信号を取得する（ステップＳ１０１）。フィルタリング部１０９は、取得された電気信号を商用電源周期に分割する（ステップＳ１０２）。フィルタリング部１０９は、周波数分析を行うことで周波数スペクトルを取得する（ステップＳ１０３）。なお、周波数分析には、フーリエ変換、短時間フーリエ変換、ウェーブレット変換又は離散ウェーブレット変換等の公知の手法が用いられてもよい。フィルタリング部１０９は、取得された周波数スペクトルに対して周波数分割を行う（ステップＳ１０４）。フィルタリング部１０９は周波数スペクトルを少なくとも３つ以上の周波数帯域に分割する。
【００２９】
フィルタリング部１０９は、周波数分割によって得られた各周波数帯域の周波数スペクトルの信号強度のピーク値が、予め決定された閾値以上である周波数スペクトルを特定する。フィルタリング部１０９は、特定された周波数スペクトルのピーク値を中心周波数とする（ステップＳ１０５）。フィルタリング部１０９は、特定された周波数スペクトルのうち、周波数成分が最も高いパルス信号と、それ以外の周波数成分のパルス信号とが、同時刻又は所定の差異の範囲内に発生しているパルス信号を特定する（ステップＳ１０６）。
【００３０】
特徴量決定部１１０は、特定されたパルス信号に基づいて、特徴量を算出する（ステップＳ１０７）。部分放電判定部１１１は、算出された特徴量があらかじめ定められた設定値よりも大きいか否か判定する（ステップＳ１０８）。算出された特徴量があらかじめ定められた設定値よりも大きい場合（ステップＳ１０８：ＹＥＳ）、部分放電判定部１１１は、部分放電“あり”と判定する（ステップＳ１０９）。算出された特徴量があらかじめ定められた設定値以下の場合（ステップＳ１０８：ＮＯ）、部分放電判定部１１１は、部分放電“なし”と判定する（ステップＳ１１０）。
【００３１】
図６は、第１の実施形態の検知された２種類の放電に対して周波数フィルタリングを行った結果の一具体例を示す図である。図６（ａ）は、センサ１０１によって検知された２種類の放電から生成されたパルス信号を表す図である。図６（ａ）からは、部分放電検出装置１００のユーザは、２種類の放電から生成されたパルス信号を明確に識別できない。図６（ｂ）〜図６（ｄ）は、フィルタリング部１０９によって周波数フィルタリングが行われた結果を表す図である。図６（ｂ）は、センサ１０１によって検知された信号に対して１ＭＨｚで周波数フィルタリングされた結果を表す。図６（ｃ）は、センサ１０１によって検知された信号に対して１２ＭＨｚで周波数フィルタリングされた結果を表す。図６（ｄ）は、センサ１０１によって検知された信号に対して４０ＭＨｚで周波数フィルタリングされた結果を表す。図６（ｂ）〜図６（ｄ）からは、部分放電検出装置１００のユーザは、位相が２７０度〜３３０度近傍のパルス信号について２種類の放電から生成されたパルス信号を明確に識別することが難しいことがわかる。なお、ユーザは、部分放電検出装置１００を用いて電気機器１０の部分放電の有無を判定するサービスマン等であってもよい。
【００３２】
図７は、第１の実施形態の２種類の周波数帯域の強度比の散布図の一具体例を表す図である。図７（ａ）は、１１ＭＨｚでフィルタリングされた信号と１ＭＨｚでフィルタリングされた信号とのセンサ電圧の値の強度比を表す図である。図７（ａ）の縦軸は１１ＭＨｚでフィルタリングされた信号のセンサ電圧の値を表す。図７（ａ）の横軸は１ＭＨｚでフィルタリングされた信号のセンサ電圧を表す。
【００３３】
図７（ｂ）は、４０ＭＨｚでフィルタリングされた信号と１ＭＨｚでフィルタリングされた信号とのセンサ電圧の値の強度比を表す図である。図７（ｂ）の縦軸は４０ＭＨｚでフィルタリングされた信号のセンサ電圧の値を表す。図７（ｂ）の横軸は１ＭＨｚでフィルタリングされた信号のセンサ電圧の値を表す。図７（ａ）及び図７（ｂ）によると、取得された信号には、相関関係の異なる２つの信号が含まれていることがわかる。
【００３４】
特徴量決定部１１０は、図７に表される各信号をグルーピングする。グルーピングする手法は、Ｋ−Ｍｅａｎｓ法、Ｍｅａｎ−ｓｈｉｆｔ法又はＤＢＳＣＡＮ法等の公知の手法が用いられてよい。グルーピングする手法は、公知の手法であればどのような手法が用いられてもよい。
【００３５】
図８は、第１の実施形態のグルーピングされた２種類の放電の信号を表す一具体例を表す図である。図８は、図６（ａ）に表される信号をグルーピングした図である。図８によると、図６（ａ）には、２種類の放電の信号が含まれることがわかる。なお、図８に表される散布図の特徴によって、ユーザはどのような放電が含まれているか特定することができる。
【００３６】
このように構成された部分放電検出装置１００では、。センサ１０１は、電気機器１０の放電によって生じる現象に応じて電気信号を生成する。部分放電は、電気機器の絶縁体の絶縁性能の低下によって発生する。フィルタリング部１０９が、電気信号を商用電源に分割して周波数スペクトルを得る。フィルタリング部１０９は、周波数スペクトルから所定の条件を満たす周波数帯域を特定する。部分放電判定部１１１は、周波数帯域に含まれるパルス信号のうち、所定の条件を満たすパルス信号に基づいて決定された部分放電の特徴を表す特徴量に基づいて部分放電の有無を判定する。このため、部分放電検出装置１００は、電源に同期したノイズを含む部分放電を検出した場合であっても、部分放電の有無を検出することができる。また、複数種類の部分放電が検出された場合であっても、部分放電の特徴を表す特徴量に基づいて、どのような部分放電が生じているのか特定することができる。したがって、部分放電検出装置１００は。より精度よく部分放電の有無を検出することが可能になる。
【００３７】
（第２の実施形態）
次に、第２の実施形態における部分放電検出装置１００ａについて説明する。第１の実施形態における部分放電検出装置１００では、１００Ｍ以上の周波数のノイズが生じた場合、ノイズを放電信号と誤って検出する場合があった。そこで、第２の実施形態における部分放電検出装置１００ａは、ノイズを検出するためのセンサ１０１ａを備える。ノイズを検出するためのセンサ１０１ａは、電気機器１０の外部に設けられる。センサ１０１ａは、ノイズを検出する。部分放電検出装置１００ａは、検出されたノイズを除去することで誤検出を防ぐ。
【００３８】
図９は、第２の実施形態の部分放電検出装置１００ａの機能構成を表す機能ブロック図である。第２の実施形態における部分放電検出装置１００ａは、部分放電判定装置１０２の代わりに部分放電判定装置１０２ａを備え、センサ１０１ａ及びセンサ１０１ｂをさらに備える点で第１の実施形態とは異なるが、それ以外の構成は同じである。以下、第１の実施形態と異なる点について説明する。
【００３９】
センサ１０１ａは、金属製の電極を含んで構成される。センサ１０１ａは、電気機器１０の放電によって生じる現象に応じて電気信号を生成する。センサ１０１ａは、電気機器１０の近傍に設けられる。センサ１０１ａは、信号線を介して部分放電判定装置１０２ａに接続されている。センサ１０１ａは、生成された電気信号を部分放電判定装置１０２ａに出力する。図９では、センサ１０１ａは１台設けられているが、１台に限定されない。例えば、センサ１０１ａは複数設けられてもよい。
【００４０】
センサ１０１ｂは、金属製の電極を含んで構成される。センサ１０１ｂは、電気機器１０の放電によって生じる現象に応じて電気信号を生成する。センサ１０１ｂは、電気機器１０の内壁面に設けられる。センサ１０１ｂは、信号線を介して部分放電判定装置１０２ａに接続されている。センサ１０１ｂは、生成された電気信号を部分放電判定装置１０２ａに出力する。図９では、センサ１０１ｂは１台設けられているが、１台に限定されない。例えば、センサ１０１ｂは複数設けられてもよい。
【００４１】
部分放電判定装置１０２ａは、パーソナルコンピュータ、スマートフォン又はタブレットコンピュータ等の情報処理装置である。部分放電判定装置１０２ａは、センサ１０１、センサ１０１ａ及びセンサ１０１ｂから受け付けた電気信号に基づいて、部分放電の発生の有無を判定する。部分放電判定装置１０２ａは、部分放電判定プログラムを実行することによって通信部１０３、入力部１０４、表示部１０５、信号記憶部１０６及び制御部１０７ａを備える装置として機能する。
【００４２】
制御部１０７ａは、部分放電判定装置１０２ａの各部の動作を制御する。制御部１０７ａは、例えばＣＰＵ等のプロセッサ及びＲＡＭを備えた装置により実行される。制御部１０７ａは、部分放電判定プログラムを実行することによって、電気信号取得部１０８、フィルタリング部１０９、特徴量決定部１１０、部分放電判定部１１１及び信号除去部１１２として機能する。
【００４３】
信号除去部１１２は、フィルタリング部１０９によって特定された複数の周波数帯域のうち、最も高い周波数帯域の電気信号から、所定の条件を満たす電気信号を除去する。所定の条件とは、センサ１０１ａによって電気信号が生成された時刻から、所定の範囲内の時刻に生成された電気信号であることである。所定の範囲内の時刻とは、例えば、センサ１０１ａによって電気信号が生成された時刻と同じ時刻であってもよいし、センサ１０１ａによって電気信号が生成された時刻から予め指定された範囲内の時間であってもよい。
【００４４】
図１０は、第２の実施形態の除去される電気信号の一具体例を表す図である。図１０（ａ）は、センサ１０１によって生成された電気信号を表す図である。図１０（ｂ）は、センサ１０１ａによって生成された電気信号を表す図である。信号除去部１１２は、図１０（ａ）及び図１０（ｂ）に基づいて、センサ１０１とセンサ１０１ａとで所定の条件を満たすパルス信号を探索する。所定の条件とは、例えば、センサ１０１ａによって電気信号が生成された時刻と同じ時刻であることであってもよい。信号除去部１１２は、領域３０１及び領域３０２に含まれるパルス信号を同時刻に発生したパルス信号として特定する。領域３０３は、特定されたパルス信号を表す。特定されたパルス信号は、電気機器の外壁面及び電気機器の近傍に設置されたセンサによって検知されている。このため、特定されたパルス信号は、外部の電磁波の影響を受けたノイズ信号であることがわかる。信号除去部１１２は、特定されたパルス信号を、フィルタリング部１０９によって特定された複数の周波数帯域のうち、最も高い周波数帯域の電気信号から除去する。
【００４５】
このように構成された部分放電検出装置１００では、センサ１０１ａが電気機器の近傍の電磁波を検知し、電気信号を生成する。信号除去部１１２が、フィルタリング部１０９によって特定された複数の周波数帯域のうち、最も高い周波数帯域の電気信号から、所定の条件を満たす電気信号を除去する。所定の条件とは、センサ１０１ａによって電気信号が生成された時刻から、所定の範囲内の時刻に生成された電気信号である。外部の電磁波の影響を受けたノイズ信号は、センサ１０１及びセンサ１０１ａによって検知されるため、上述の電気信号を除去することによって、外部の電磁波の影響を除去した電気信号を得ることができる。したがって、部分放電検出装置１００ａは。より精度よく部分放電の有無を検出することが可能になる。
【００４６】
本実施形態では、部分放電検出装置１００は、一台の装置であるとして説明したが、複数の装置として構成されてもよい。部分放電検出装置１００は、クラウドコンピューティングシステムによって構成されてもよい。
【００４７】
上記各実施形態では、電気信号取得部１０８、フィルタリング部１０９、特徴量決定部１１０、部分放電判定部１１１及び信号除去部１１２はソフトウェア機能部であるものとしたが、ＬＳＩ等のハードウェア機能部であってもよい。
【００４８】
以上説明した少なくともひとつの実施形態によれば、センサ１０１、フィルタリング部１０９、特徴量決定部１１０及び部分放電判定部１１１を持つことにより、より精度よく部分放電の有無を検出することができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１０…電気機器、１００…部分放電検出装置、１０１…センサ、１０２…部分放電判定装置、１０３…通信部、１０４…入力部、１０５…表示部、１０６…信号記憶部、１０７…制御部、１０８…電気信号取得部、１０９…フィルタリング部、１１０…特徴量決定部、１１１…部分放電判定部、１００ａ…部分放電検出装置、１０１ａ…センサ、１０１ｂ…センサ、１０２ａ…部分放電判定装置、１０７ａ…制御部、１１２…信号除去部
【図１】
2019211447.tif 000003
【図２】
2019211447.tif 000004
【図３】
2019211447.tif 000005
【図４】
2019211447.tif 000006
【図５】
2019211447.tif 000007
【図６】
2019211447.tif 000008
【図７】
2019211447.tif 000009
【図８】
2019211447.tif 000010
【図９】
2019211447.tif 000011
【図１０】
2019211447.tif 000012